(57)【要約】      （修正有）【課題】テレホンカード等の有価磁気カードや記念写真等の各種のカードを目視できる状態で、かつ紛失しないように確実に内蔵した状態で絵葉書として送ることができ、また、受領者は鋏等の道具を用いずに簡単にカードを取り出すことができ、差出人のメッセージを損なうこともない葉書を提供する。【解決手段】一側シート部２と他側シート部６とからなる葉書形成シート１の上端側にミシン目８が形成してあり、他側シート部６にはカード目視窓が形成してある。一側及び他側シート部２、６の衝合面２Ｂ、６Ｂに設けた接着層１０、１１は剥離シート１２で覆ってある。カード目視窓を透明フィルム１４で覆い、剥離シート１２を剥して粘着した内貼りシート１３との間にカード１５を配置し、剥離シート１２を剥して一側シート部２と他側シート部６を貼り合わす。【選択図】図２
0003149259.tif 000002
【実用新案登録請求の範囲】
【請求項１】
外側面を葉書表面とし、内側面を衝合面とする一側シート部及び外側面を葉書裏面とし、内側面を衝合面とする他側シート部からなる葉書形成シートと、該葉書形成シートの一の側縁寄りに形成したミシン目と、該ミシン目に近接して前記他側シート部に形成したカード目視窓と、前記葉書形成シートの各衝合面に設けた接着層と、該接着層に被着した剥離シートと、前記接着層の外縁側が露出する大きさに形成され、一側縁を前記ミシン目に沿わせた状態で前記葉書形成シートの各接着層に接着される内貼りシートと、前記カード目視窓の口縁を覆うことのできる大きさに形成され、該内貼りシートに対面した状態で該カード目視窓を覆う透明シールとから構成し、前記剥離シートを剥離して露出させた接着層に前記内貼りシートを貼着し、剥離シートを剥離した他側シート部の貼着面に前記ミシン目に一側縁を沿わせた状態で前記透明フィルムを貼着し、しかる後該透明フィルムと内貼りシートとの間にカードを挟持した状態で前記一側シート部と他側シート部を貼り合せてなるカードを取り出し可能に内蔵した葉書。
【請求項２】
外側面を葉書表面とし、内側面を衝合面とする一側シート部及び外側面を葉書裏面とし、内側面を衝合面とする他側シート部からなる葉書形成シート部からなる葉書形成シートと、該葉書形成シートの一の側縁寄りに形成したミシン目と、該ミシン目に近接して前記他側シート部に形成したカード目視窓と、前記葉書形成シートの少なくとも一方の衝合面に設けた接着層と、該接着層に被着した剥離シートと、前記接着層の外縁側が露出する大きさに形成され、該内貼りシートに対面した状態で前記葉書形成シートの接着層に接着される内貼りシートと、前記カード目視窓の口縁を覆うことのできる大きさに形成され、該内貼りシートに対面した状態で該カード目視窓を覆う透明シートとから構成し、前記他側シート部の衝合面に前記ミシン目に一側縁を沿わせた状態で前記透明フィルムを配置し、前記剥離シートを剥離して露出させた接着層に前記内貼りシートを貼着し、しかる後該透明フィルムと内貼りシートとの間にカードを挟持した状態で前記一側シート部と他側シート部を貼り合せてなるカードを取出し可能に内蔵した葉書。
【請求項３】
前記一側シート部と他側シート部は一体に形成し、内側衝合面を互いに衝合するように中心位置で谷折りするようにしてなる請求項１又は２記載のカードを取出し可能に内蔵した葉書。
【請求項４】
前記一側シート部と他側シート部は別体に形成してある請求項１又は２記載のカードを取出し可能に内蔵した葉書。
【考案の詳細な説明】
【技術分野】
【０００１】
本考案は、テレホンカード、プリペイドカード、写真等の各種のカードを目視できる状態に内蔵し、かつ取出すことができるようにした葉書に関する。
【背景技術】
【０００２】
従来、観光地等では風景写真を絵柄に用いたテレホンカード等の有価磁気カードを土産品として販売しているが、これを絵葉書として郵送する場合葉書サイズの台紙上に有価磁気カードを置き全体をラミネート加工する方法が行われている。また、風景写真等を郵送する場合、絵葉書の体裁で送る方法はなく、封書にして送るしかなかった。
【考案の開示】
【考案が解決しようとする課題】
【０００３】
しかし、上述した従来のラミネート加工方法では、カードを取り出すのに全体を破かなければならないため、カードを取り出した後は葉書として保存できる状態にはならないという欠点がある。また、ラミネートを破くためにはナイフか鋏が必要であるが、手近な所にこれらの開封の用具がない場合もあり、使用上の不便性があるし、開封の際にカードを損傷する虞もある。風景写真を封書で郵送する場合も開封時に同様の問題があるし、絵葉書としての楽しみ方ができないという問題もある。
【０００４】
本考案は上述した従来技術の諸欠点及び問題点に鑑みなされたもので、テレホンカード、プリペイドカード等の有価磁気カード、記念写真その他の各種のカードを目視できる状態に、かつ郵送途中で紛失しないように確実に内蔵できるので絵葉書として送ることができ、しかも受領者は道具を用いずに簡単にカードを取出すことができるし、葉書として保存することができるようにしたカードを取出し可能に内蔵した葉書を提供することを目的とする。  
【課題を解決するための手段】
【０００５】
上述した課題を解決するために構成された請求項１に係る考案の手段は、外側面を葉書表面とし、内側面を衝合面とする一側シート部及び外側面を葉書裏面とし、内側面を衝合面とする他側シート部からなる葉書形成シートと、該葉書形成シートの一側縁寄りに形成したミシン目と、該ミシン目に近接して前記他側シート部に形成したカード目視窓と、前記葉書形成シートの各衝合面に設けた接着層と、該接着層に被着した剥離シートと、前記接着層の外縁側が露出する大きさに形成され、一側縁を前記ミシン目に沿わせた状態で前記葉書形成シートの各接着面に接着される内貼りシートと、前記カード目視窓の口縁を覆うことのできる大きさに形成され、該内貼りシートに対面した状態で該カード目視窓を覆う透明フィルムとから構成し、前記一側シート部の剥離シートを剥離して露出させた接着層に前記内貼りシートを貼着し、他側シート部の剥離シートを剥離して露出させた接着層に前記ミシン目に一側縁を沿わせた状態で前記透明フィルムを貼着し、しかる後該透明シートと内貼りシートとの間にカードを挟持した状態で前記一側シート部と他側シート部を貼り合せるようにしたものからなる。
【０００６】
また、請求項２に係る考案の構成は、外側面を葉書表面とし、内側面を衝合面とする一側シート部及び外側面を葉書裏面とし、内側面を衝合面とする他側シート部からなる葉書形成シートと、該葉書形成シートの一の側縁寄りに形成したミシン目と、該ミシン目に近接して前記他側シート部に形成したカード目視窓と、前記葉書形成シートの少なくとも一方の衝合面に設けた接着層と、該接着層に被着した剥離シートと、前記接着層の外縁側が露出する大きさに形成され、該内貼りシートに対面した状態で前記葉書形成シートの接着層に接着される内貼りシートと、前記カード目視窓の口縁を覆うことのできる大きさに形成され、該内張りシートに対面した状態で該カード目視窓を覆う透明フィルムとから構成し、前記他側シート部の衝合面に前記ミシン目に一側縁を沿わせた状態で前記透明フィルムを配置し、前記剥離シートを剥離して露出させた接着層に前記内貼りシートを貼着し、しかる後該透明フィルムと内貼りシートとの間にカードを挟持した状態で前記一側シート部と他側シート部を貼り合せるようにしたものからなる。
【０００７】
そして、前記一側シート部と他側シート部は一体に形成し、内側衝合面を互いに衝合するように中心位置で谷折りするようにするとよい。
【０００８】
また、前記一側シート部と他側シート部は別体に形成してもよい。
【考案の効果】
【０００９】
本考案は以上詳述した如く構成したから、下記の諸効果を奏する。
（１）有価磁気カードを郵送法規に従った状態で安全、確実に郵送することができる。
（２）有価磁気カードやカード型写真等のカードを外部から目視できる絵葉書として利用することができる。
（３）カードを取り出す場合、ミシン目から切り取るだけでよいから差出人のメッセージを損なうことがないし、ナイフや鋏を用いる必要がないからカードを損傷することがない。
（４）葉書から取り出したカードはその機能に応じた本来の用途に使用することができる。
【考案を実施するための最良の形態】
【００１０】
以下、本考案の実施の形態を図面に基づき詳述する。図において、１は葉書形成シートを示す。該葉書形成シート１は二つ折りして葉書大となるように上質紙を横長長方形に裁断したもので、中心から一側を一側シート部２としており、該一側シート部２の外側面は「郵便はがき」の表示部３、郵便番号記入枠４、切手貼付け枠５を表した葉書表面２Ａに、内側面は衝合面２Ｂとしている。他方、葉書形成シート１の中心から他側を他側シート部６としており、該他側シート部６の外側面は下側にメッセージ欄７を表した葉書裏面６Ａに、内側面は衝合面６Ｂとしている。  
【００１１】
８は前記一側シート部２から他側シート部６にわたって葉書形成シート１の上端１Ａから約８ｍｍの幅を取って横方向に形成したミシン目で、該ミシン目８から上端１Ａの間は切り取り片１Ｂとしてある。９はミシン目８に近接して他側シート部６に形成したカード目視窓で、該カード目視窓９は縦幅Ｌ１、横幅Ｌ2を後述するカード１５の縦幅Ｌ３、Ｌ４より若干小さい開口にしてある。１０、１１は葉書形成シート１の衝合面２Ｂ、６Ｂの全面に夫々設けた接着層で、該接着層１０、１１は粘着タイプの接着剤を塗着したものからなっている。１２、１２は該接着層１０、１１の全面に被着した公知の材料からなる剥離シートである。
【００１２】
１３は葉書形成シート１より若干厚い上質紙からなる内貼りシートを示し、該内貼りシート１３は縦、横の寸法を一側シート部２の外形より３ｍｍ程小さくすることにより、衝合面２Ｂに設けた接着層１０の外縁部１０Ａ、１０Ｂが縦長矩形の枠状に露出するようにしてある。１４はカード目視窓９を覆う透明フィルムで、該透明フィルム１４は縦幅Ｌ５及び横幅Ｌ６をカード目視窓９の縦幅Ｌ１及び横幅Ｌ２よりも大きく設定することにより開口縁を覆うことができるようにしてある。また、１５はカードを示し、該カード１５にはテレホンカード、プリペイドカード等の有価磁気カードや記念写真からなるカード等、適宜のカードを用いることができる。
【００１３】
本実施の形態は上述の構成からなり、葉書に形成する前は葉書形成シート１の各衝合面２Ｂ、６Ｂに設けた接着層１０、１１は剥離シート１２、１２を貼着することにより覆ってあり、内貼りシート１３、透明フィルム１４は別の構成にしてセットしてある。そして、カード１５を葉書で郵送しようとする差出人は剥離シート１２を剥して各接着層１０、１１を露出させ、一側シート部２の衝合面２Ｂに上端縁１３Ａをミシン目８に合わせて内貼りシート１３を貼り付ける。これにより内貼りシート１３の外側には接着層１０の外縁部１０Ａ、１０Ｂが縦長枠状に露出した状態になる。他方、他側シート部６の衝合面６Ｂにはカード目視窓９に合わせて透明フィルム１４を貼り付ける（図３参照）。しかる後、カード目視窓９から絵柄を見ることができるようにしてカード１５を透明フィルム１４の中央に配置し、葉書形成シート１を中心から二つ折りにして一側シート部２と他側シート部６を衝合し、接着層１０、１１同士を貼り合わせる。これにより、カード目視窓９からカード１５を目視できる状態で内蔵した葉書を形成できる。
【００１４】
他方、葉書を受取った受領者はカード目視窓９からカード１５の絵柄を鑑賞することができ、また葉書の切り取り片１Ｂをミシン目８から切り離すことにより、内蔵してあるカード１５を取り出すことができる（図４参照）。これにより、カード１５が有する機能に応じた使い方、例えば買い物の代金の支払いや、写真はアルバムに貼り付けるといった使用ができる。
【００１５】
次に、図５は第２の実施の形態を示す。なお、前述した第１の形態の構成要素と同一の構成要素には同一の符号を付して援用し、その説明を省略する。図において、２１は葉書形成シートで、該葉書形成シート２１を構成する一側シート部２２は葉書表面２２Ａと衝合面２２Ｂを有し、その衝合面２２Ｂには全面に接着層１０が設けてあり、接着層１０は剥離シート１２により覆ってある。他方、葉書裏面２３Ａと衝合面２３Ｂを有する他側シート部２３の衝合面２３Ｂには接着層、剥離シートは設けていない。２４は内貼りシートを示し、該内貼りシート２４は縦幅Ｌ７および横幅Ｌ８をカード１５の縦幅Ｌ３及び横幅Ｌ４より若干大きく設定した形状からなっている。
【００１６】
上述の如く一側シート部２２にのみ接着層１０及び剥離シート１２を設け、内貼りシート２４を略半分以下の大きさにすることによっても、第１の実施の形態と同様に葉書を形成することができ、かつ資材の削減を図ることができる。
【００１７】
また、上記実施の形態とは逆に、葉書形成シート２１を構成する他側シート部２３の衝合面２２Ｂにのみ接着層１０、剥離シート１２を設けてもよい。
【図面の簡単な説明】
【００１８】
【図１】本考案の第１の実施の形態に係る葉書を構成する葉書形成シートの展開図である。
【図２】葉書の分解斜視図である。
【図３】葉書形成シートの一側シート部に内貼りシートを貼着した状態を他側シート部と共に示す説明図である。
【図４】葉書からカードを取り出す状態の説明図である。
【図５】第２の実施の形態に係る葉書の分解斜視図である。
【符号の説明】
【００１９】
１、２１        葉書形成シート
２、２２        一側シート部
２Ｂ、２２Ｂ    衝合面
６、２３        他側シート部
６Ｂ、２３Ｂ    衝合面
８              ミシン目
９              カード目視窓
１０、１１      接着層
１２            剥離シート
１３、２４      内貼りシート
１４            透明フィルム
１５            カード
【図１】
0003149259.tif 000003
【図２】
0003149259.tif 000004
【図３】
0003149259.tif 000005
【図４】
0003149259.tif 000006
【図５】
0003149259.tif 000007